【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
車両に設置され、発光する発光領域を有する車両用発光部品であって、
光源と該光源からの光を出射する出射面を備えた導光体とを有して前記発光領域に向けて光を照射する照射体と、
前記照射体から出射された光を透過させる曲板状の透過体と、を前記発光領域として備え、
前記照射体は、前記透過体と対向する開口と、前記導光体の前記出射面とは反対側の裏面と対向する底壁と、前記開口が位置する側に前記導光体が配置されるように前記導光体を保持する保持部と、前記底壁に形成された当接リブと、を有するホルダを備え、
前記透過体は、前記導光体及び前記透過体が前記車両に取り付けられた状態において前記導光体との間隔が異なる部位を有し、
前記間隔の大きさに応じて前記発光領域の外表面の輝度を調整する表面輝度調整部を備え、
前記導光体は、前記裏面が前記当接リブに当接した状態で、前記保持部に保持され、
前記導光体の前記裏面が前記当接リブと当接する領域は、前記表面輝度調整部を避けた領域に配置されていることを特徴とする車両用発光部品。
【請求項２】
前記表面輝度調整部は、前記導光体の前記裏面に形成されていることを特徴とする請求項１に記載の車両用発光部品。
【請求項３】
前記表面輝度調整部は、前記導光体の前記裏面から前記出射面に向かうように窪んだ凹部として形成されていることを特徴とする請求項２に記載の車両用発光部品。
【請求項４】
前記当接リブは、前記凹部の窪む方向と同じ方向に突出していることを特徴とする請求項３に記載の車両用発光部品。
【請求項５】
前記ホルダは、前記底壁から前記発光領域に向かう側に立設された立壁部を有し、
前記当接リブは、前記発光領域に向かう側に突出していることを特徴とする請求項４に記載の車両用発光部品。
【請求項６】
前記ホルダは、前記保持部が前記立壁部に囲われた箱型であり、
前記当接リブは、箱型の前記ホルダの内側に配置されることを特徴とする請求項５に記載の車両用発光部品。
【請求項７】
前記ホルダは、前記立壁部及び前記保持部が連続して形成された箱型形状を有していることを特徴とする請求項６に記載の車両用発光部品。
【請求項８】
前記立壁部が前記底壁から前記発光領域側へ突出する長さは、前記当接リブの突出長さよりも長いことを特徴とする請求項７に記載の車両用発光部品。
【請求項９】
前記立壁部が前記底壁から前記発光領域側へ突出する長さは、前記当接リブの突出長さと前記導光体の厚みを足した長さよりも長いことを特徴とする請求項７に記載の車両用発光部品。
【請求項１０】
請求項１乃至９のいずれか一項に記載の車両用発光部品を備えることを特徴とする車両用ドアライニング。
【手続補正２】
【補正対象書類名】明細書
【補正対象項目名】発明の名称
【補正方法】変更
【補正の内容】
【発明の名称】車両用発光部品及び車両用ドアライニング
【手続補正３】
【補正対象書類名】明細書
【補正対象項目名】０００１
【補正方法】変更
【補正の内容】
【０００１】
本発明は、車両用発光部品に係り、特に、均一に発光する曲板状の発光部を備えて発光部品として意匠性を具備する車両用発光部品及び該車両用発光部品を備える車両用ドアライニングに関する。
【手続補正４】
【補正対象書類名】明細書
【補正対象項目名】００１０
【補正方法】変更
【補正の内容】
【００１０】
前記課題は、本発明の車両用発光部品によれば、車両に設置され、発光する発光領域を有する車両用発光部品であって、光源と該光源からの光を出射する出射面を備えた導光体とを有して前記発光領域に向けて光を照射する照射体と、前記照射体から出射された光を透過させる曲板状の透過体と、を前記発光領域として備え、前記照射体は、前記透過体と対向する開口と、前記導光体の前記出射面とは反対側の裏面と対向する底壁と、前記開口が位置する側に前記導光体が配置されるように前記導光体を保持する保持部と、前記底壁に形成された当接リブと、を有するホルダを備え、前記透過体は、前記導光体及び前記透過体が前記車両に取り付けられた状態において前記導光体との間隔が異なる部位を有し、前記間隔の大きさに応じて前記発光領域の外表面の輝度を調整する表面輝度調整部を備え、前記導光体は、前記裏面が前記当接リブに当接した状態で、前記保持部に保持され、前記導光体の前記裏面が前記当接リブと当接する領域は、前記表面輝度調整部を避けた領域に配置されていることにより解決される。
【手続補正５】
【補正対象書類名】明細書
【補正対象項目名】００１２
【補正方法】変更
【補正の内容】
【００１２】
また、上記の車両用発光部品において、前記表面輝度調整部は、前記導光体の前記裏面に形成されているとよい。
【手続補正６】
【補正対象書類名】明細書
【補正対象項目名】００１３
【補正方法】変更
【補正の内容】
【００１３】
また、上記の車両用発光部品において、前記表面輝度調整部は、前記導光体の前記裏面から前記出射面に向かうように窪んだ凹部として形成されているとよい。
【手続補正７】
【補正対象書類名】明細書
【補正対象項目名】００１４
【補正方法】変更
【補正の内容】
【００１４】
また、上記の車両用発光部品において、前記当接リブは、前記凹部の窪む方向と同じ方向に突出しているとよい。
【手続補正８】
【補正対象書類名】明細書
【補正対象項目名】００１５
【補正方法】変更
【補正の内容】
【００１５】
また、上記の車両用発光部品において、前記ホルダは、前記底壁から前記発光領域に向かう側に立設された立壁部を有し、前記当接リブは、前記発光領域に向かう側に突出しているとよい。
【手続補正９】
【補正対象書類名】明細書
【補正対象項目名】００１６
【補正方法】変更
【補正の内容】
【００１６】
また、上記の車両用発光部品において、前記ホルダは、前記保持部が前記立壁部に囲われた箱型であり、前記当接リブは、箱型の前記ホルダの内側に配置されるとよい。
【手続補正１０】
【補正対象書類名】明細書
【補正対象項目名】００１７
【補正方法】変更
【補正の内容】
【００１７】
また、上記の車両用発光部品において、前記ホルダは、前記立壁部及び前記保持部が連続して形成された箱型形状を有しているとよい。
【手続補正１１】
【補正対象書類名】明細書
【補正対象項目名】００１８
【補正方法】変更
【補正の内容】
【００１８】
また、上記の車両用発光部品において、前記立壁部が前記底壁から前記発光領域側へ突出する長さは、前記当接リブの突出長さよりも長いとよい。
【手続補正１２】
【補正対象書類名】明細書
【補正対象項目名】００１９
【補正方法】変更
【補正の内容】
【００１９】
また、上記の車両用発光部品において、前記立壁部が前記底壁から前記発光領域側へ突出する長さは、前記当接リブの突出長さと前記導光体の厚みを足した長さよりも長いとよい。
【手続補正１３】
【補正対象書類名】明細書
【補正対象項目名】００２０
【補正方法】変更
【補正の内容】
【００２０】
また、前記課題は、本発明の車両用ドアライニングによれば、上記の車両用発光部品を備えることにより解決される。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】